(57)【要約】【課題】予約して駐車場に到着したときに駐車できない状況の発生を減少する駐車場予約システムを提供する。【解決手段】予約管理装置２が車両検出装置３乃至５から入力された情報に基づき駐車場２１乃至２５の満車空車情報を作成した状態において、予約管理装置２が予約入力装置１から入力された目的地の位置情報から特定した目的地エリア２０における駐車場２１乃至２５の満車空車情報に基づき空車となっている１つの車室に対し駐車予定時間と駐車可能時間とを割り当てた予約完了情報又は前記目的地エリア２０における駐車場２１乃至２５の満車空車情報に基づき空車となっている複数個の車室に対し駐車予定時間を割り当てた予約完了情報を予約入力装置１と車両検出装置３乃至７とに出力する。【選択図】図１
2019159731.tif 000002
【特許請求の範囲】
【請求項１】
予約入力装置と予約管理装置と駐車場に設けられた車両検出装置とがネットワークで互いに通信可能に接続された駐車場予約システムであって、前記予約管理装置が前記車両検出装置から入力された駐車状況情報に基づき車両検出装置の設けられた駐車場の満車空車情報を作成しその作成した満車空車情報を予約入力装置に出力した状態において、前記予約管理装置が前記予約入力装置から入力された目的地の位置情報から駐車予約対象地域として特定された目的地エリアにおける駐車場の満車空車情報に基づき空車となっている１つの車室に対し前記予約入力装置から入力された駐車予定時間と当該駐車予定時間に対して設定された駐車可能時間とを割り当てた予約完了情報を前記車両検出装置と前記予約入力装置とに出力することを特徴とするか、又は、前記予約管理装置が前記予約入力装置から入力された目的地の位置情報から駐車予約対象地域として特定された目的地エリアにおける駐車場の満車空車情報に基づき空車となっている複数個の車室に対し前記予約入力装置から入力された駐車予定時間を割り当てた予約完了情報を前記車両検出装置と前記予約入力装置とに出力することを特徴とする駐車場予約システム。
【請求項２】
前記予約管理装置が複数個の車室に対し予約が一定数に到達すると当該一定数の予約を確定しかつアラート情報を前記予約入力装置に出力することを特徴とするか、又は、前記予約管理装置が複数個の車室の中の１つの車室に対する予約を本予約とし残る車室に対する予約を仮予約とし、この仮予約とした残る車室に対する予約が一定数に到達すると当該一定数の予約を確定しかつアラート情報を前記予約入力装置に出力することを特徴とするか、又は、前記予約管理装置が複数個の車室に対する全ての予約を仮予約とし、この仮予約とした車室に対する予約が一定数に到達すると当該一定数の予約を確定しかつアラート情報を前記予約入力装置に出力することを特徴とする請求項１記載の駐車場予約システム。
【請求項３】
前記予約管理装置が車室に対する予約を完了した後に前記予約入力装置から入力された予約変更情報により別のエリアにおける駐車場の満車空車情報に基づき空車となっている車室に対する変更後の予約完了情報を前記予約の成立した車両検出装置予約入力装置とに出力することを特徴とする請求項１記載の駐車場予約システム。
【請求項４】
前記予約入力装置と前記予約管理装置との間で会員登録が完了したことを条件として予約が可能になることを特徴とする請求項１記載の駐車場予約システム。
【請求項５】
前記車両検出装置が設けられた駐車場には車両の入庫および出庫を規制するゲートや駐車料金を精算する現金精算機等の付帯設備が設けられていないことを特徴とする請求項１記載の駐車場予約システム。
【発明の詳細な説明】
【技術分野】
【０００１】
本発明は、予約して駐車場に到着したときに駐車できない状況の発生を減少する、駐車場予約システムに関する。
【背景技術】
【０００２】
図１３を用いて、特許文献１で開示された駐車場予約システムを説明する。図１３に示した駐車場予約システムは、携帯電話１３０１と地域管理サーバ１３０２と駐車場情報サーバ１３０３と駐車場管理装置１３０４；１３０５；１３０６；１３０７とがネットワーク１３０８で互いに通信可能に接続されている。そして、携帯電話１３０１が駐車場１３１１；１３１２；１３１３；１３１４における少なくとも１つの車室を予約する人の操作に応じて目的地の位置情報及び駐車場１３１１乃至１３１４の検索条件を地域管理サーバ１３０６に送り、地域管理サーバ１３０６が携帯電話１３０１から入力された目的地の位置情報から目的地を含むエリアを担当する駐車場情報サーバ１３０３を決定し、かつ、地域管理サーバ１３０２が決定された駐車場情報サーバ１３０３に携帯電話１３０１から入力された検索条件を送り、駐車場情報サーバ１３０３が検索条件に該当する駐車場名及びその満空情報を抽出して地域管理サーバ１３０２に送り、地域管理サーバ１３０２が駐車場情報サーバ１３０３から送られた駐車場名及び満空情報を携帯電話１３０１へ送り、携帯電話１３０１が地域管理サーバ１３０２から送られた駐車場名及び満空情報の一覧を表示し、かつ、携帯電話１３０１が指定された駐車場１３０２乃至１３０５の予約情報を駐車場管理装置１３０４乃至１３０７の少なくとも１つに出力すると、その少なくとも１つの駐車場管理装置１３０４乃至１３０７が該当する駐車場１３０２乃至１３０５の最適な車室を確保し、該当する車両が該当する駐車場１３０２乃至１３０５に到着すると、駐車場管理装置１３０４乃至１３０７が前記確保した車室を示す駐車位置番号を前記携帯電話１３０１に通知する。しかしながら、駐車場管理装置１３０４乃至１３０７が該当する駐車場１３０２乃至１３０５の最適な車室を確保する構成であるから、駐車場１３０２乃至１３０５を予約して使う場合に、予約して駐車場１３０２乃至１３０５に到着したら別の車が駐車していて、駐車できない状況が多々発生する可能性がある。
【先行技術文献】
【特許文献】
【０００３】
【特許文献１】特開２００１−３２５３７９号公報
【発明の概要】
【発明が解決しようとする課題】
【０００４】
本発明は、上記背景技術に鑑みてなされたものであり、予約して駐車場に到着したときに駐車できない状況の発生を減少する、駐車場予約システムの提供を目的とする。
【課題を解決するための手段】
【０００５】
本発明は、予約入力装置と予約管理装置と駐車場に設けられた車両検出装置とがネットワークで互いに通信可能に接続された駐車場予約システムであって、前記予約管理装置が前記車両検出装置から入力された駐車状況情報に基づき車両検出装置の設けられた駐車場の満車空車情報を作成しその作成した満車空車情報を予約入力装置に出力した状態において、前記予約管理装置が前記予約入力装置から入力された目的地の位置情報から駐車予約対象地域として特定された目的地エリアにおける駐車場の満車空車情報に基づき空車となっている１つの車室に対し前記予約入力装置から入力された駐車予定時間と当該駐車予定時間に対して設定された駐車可能時間とを割り当てた予約完了情報を前記車両検出装置と前記予約入力装置とに出力するか、又は、前記予約管理装置が前記予約入力装置から入力された目的地の位置情報から駐車予約対象地域として特定された目的地エリアにおける駐車場の満車空車情報に基づき空車となっている複数個の車室に対し前記予約入力装置から入力された駐車予定時間を割り当てた予約完了情報を前記車両検出装置と前記予約入力装置とに出力することを特徴とする。
【発明の効果】
【０００６】
本発明は、予約時に空車となっている車室に対し駐車予定時間と駐車可能時間とを割り当てた予約が確定するか、又は、予約時に空車となっている複数個の車室に対し駐車予定時間を割り当てた予約が確定するので、予約して駐車場に到着したときに駐車できない状況の発生を減少するという効果がある。本発明において、前記予約管理装置が複数個の車室に対し予約が一定数に到達すると当該一定数の予約を確定しかつアラート情報を前記予約入力装置に出力すれば、又は、前記予約管理装置が複数個の車室の中の１つの車室に対する予約を本予約とし残る車室に対する予約を仮予約とし、この仮予約とした残る車室に対する予約が一定数に到達すると当該一定数の予約を確定しかつアラート情報を前記予約入力装置に出力すれば、又は、前記予約管理装置が複数個の車室に対する全ての予約を仮予約とし、この仮予約とした車室に対する予約が一定数に到達すると当該一定数の予約を確定しかつアラート情報を前記予約入力装置に出力すれば、前記予約管理装置が一定数を超えた予約を受け付けないので、予約して駐車場に到着したときに駐車できない状況の発生を減少させることができる。又、本発明において、前記予約管理装置が車室に対する予約を完了した後に前記予約入力装置から入力された予約変更情報により別のエリアにおける駐車場の満車空車情報に基づき空車となっている車室に対する変更後の予約完了情報を前記予約の成立した車両検出装置予約入力装置とに出力すれば、予約を行う人にとって好都合となることがある。又、本発明において、前記予約入力装置と前記予約管理装置との間で会員登録が完了したことを条件として予約が可能になれば、駐車場予約システムの運営が健全になる。又、本発明において、前記車両検出装置が設けられた駐車場には車両の入庫および出庫を規制するゲートや駐車料金を精算する現金精算機等の付帯設備が設けられていなければ、駐車の構成が簡単となり、駐車場予約システムの導入が容易になる。
【図面の簡単な説明】
【０００７】
【図１】実施するための形態１に係る駐車場予約システムの構成図。
【図２】実施するための形態１に係る駐車場予約システムのフローチャート。
【図３】Ａ図乃至Ｃ図は発明を実施するための形態１に係る空車、予約、仮予約の図表。
【図４】発明を実施するための形態２に係る駐車場予約システムの構成図。
【図５】発明を実施するための形態２に係る駐車場予約システムのフローチャート。
【図６】発明を実施するための形態３に係る駐車場予約システムの構成図。
【図７】発明を実施するための形態３に係る駐車場予約システムのフローチャート。
【図８】発明を実施するための形態３に係る駐車場予約システムのフローチャート。
【図９】発明を実施するための形態４に係る駐車場予約システムの構成図。
【図１０】発明を実施するための形態４に係る駐車場予約システムのフローチャート。
【図１１】発明を実施するための形態５に係る駐車場予約システムの構成図。
【図１２】発明を実施するための形態５に係る駐車場予約システムのフローチャート。
【図１３】従来の駐車場予約システムの構成図。
【発明を実施するための形態】
【０００８】
図１を用いて発明を実施するための形態１に係る駐車場予約システムの構成を説明する。図１に示した駐車場予約システムは、予約入力装置１と予約管理装置２と車両検出装置３；４；５；６；７とがネットワーク８で互いに通信可能に接続され、駐車場２１乃至２５に車両の入庫および出庫を規制するゲートや駐車料金を精算する現金精算機等の付帯設備が設けられていない、簡単な構造になっている。つまり、駐車場２１乃至２５の構成が簡単となり、駐車場予約システムの導入が容易になる予約入力装置１は、携帯電話、携帯端末、コンピュータ等により構成される。予約管理装置２はサーバにより構成され、駐車状況作成手段１１と単数予約作成手段１２と課金手段１３と予約枠設定手段１４と記憶部１５とを備える。
【０００９】
駐車状況作成手段１１と単数予約作成手段１２と課金手段１３と予約枠設定手段１４とは、サーバにコンピュータプログラムとして格納された予約ソフトウエア１０で具現化される。車両検出装置３乃至７は駐車場２１乃至２５ごとに設置され、設置された駐車場２１乃至２５ごとに単数又は複数個設けられた駐車スペースとしての車室に駐車した車両ごとを検出する検出部を備える。１つの目的地エリア２０に設けられた駐車場２１乃至２５の個数は、５箇所に限定されるものではなく、２乃至４箇所、６箇所以上でもよい。検出部としては車両のナンバープレートに表示された車両番号を画像として読み取ることが可能なカメラであれば車室に駐車した車両の特定が適切になる。
【００１０】
次に、図１に示した駐車場予約システムの作用を説明する。予約管理装置２の予約枠設定手段１４が予約管理装置２を操作する人の操作に基づき１つの予約枠に対する駐車可能時間を設定しその設定した駐車可能時間を予約管理装置２の記憶部１５に記憶させる。又、車両検出装置３乃至７が自分の設置された駐車場２１乃至２５の駐車状況情報を予約管理装置２に出力し、予約管理装置２の駐車状況作成手段１１が車両検出装置３乃至７から入力された駐車状況情報に基づき車両検出装置３乃至７の設置された駐車場２１乃至２５の満車空車情報を作成する。その後、駐車状況作成手段１１が前記作成した満車空車情報を予約入力装置１に出力する。
【００１１】
又、予約を行う人が予約入力装置１を操作して会員登録を行うと、予約入力装置１が会員登録情報を予約管理装置２に出力し、予約入力装置１と予約管理装置２とが会員登録に必要な情報のやり取りを行い、予約を行う人が予約管理装置２に会員として登録される。このように予約を行う人が予約管理装置２に会員として登録された状態において、予約を行う人が予約入力装置１を操作して駐車の予約を行う場合には、予約入力装置１と予約管理装置２との間で前記予約を行う人の会員登録に対する認証処理が行われる。そして、予約管理装置２が予約を行う人を正規に登録された会員と認証し予約入力装置１からの駐車場の予約を受け付けることが可能な状態になる。つまり、予約入力装置１と予約管理装置２との間で会員登録が完了したことを条件として駐車場の予約が可能になることにより、駐車場予約システムの運営が健全になる。
【００１２】
前記のような予約管理装置２が予約入力装置１からの駐車場の予約を受け付けることが可能になった状態において、予約入力装置１が予約を行う人の操作に応じた目的地の位置情報及び駐車予定時間並びに車両番号等の予約要求情報を予約管理装置２に出力し、予約管理装置２が予約入力装置１から入力された予約要求情報を記憶部１５に記憶した後、予約管理装置２の単数予約作成手段１２が予約入力装置１から入力された目的地の位置情報から駐車予約対象地域としての目的地エリア２０を特定する。
【００１３】
その後、単数予約作成手段１２が前記特定された目的地エリア２０における駐車場２１乃至２５の満車空車情報に基づき空車となっている駐車スペースとしての１つの車室に対して予約を成立させる。更に、単数予約作成手段１２が前記予約の成立した車室及び予約入力装置１から入力された車両番号に対し予約入力装置１から入力された前記駐車予定時間とバッファ時間とからなる駐車可能時間を記憶部１５から抽出して設定する。その後、単数予約作成手段１２が前記駐車可能時間及び前記予約の成立した１つの車室等を示す予約完了情報を予約入力装置１と前記予約の成立した１つの車室を有する駐車場２１又は２２又は２３又は２４又は２５に設置された車両検出装置３又は４又は５又は６又は７とに出力する。つまり、単数予約作成手段１２が予約の成立した車室に対し予約入力装置１から入力された駐車予定時間と当該駐車予定時間に対して設定された駐車可能時間とを割り当てた予約完了情報を予約入力装置１と車両検出装置３又は４又は５又は６又は７とに出力する。
【００１４】
これによって、単数予約作成手段１２が予約の成立した空車となっている車室に対し予約入力装置１から入力された予約要求情報の駐車予定時間と駐車可能時間とを割り当てた予約を確定するので、予約して駐車場２１乃至２５に到着したときに駐車できない状況の発生を減少させることができる。
【００１５】
又、予約管理装置２の課金手段１３は駐車場２１乃至２５の車両検出装置３乃至７から入力された車両番号及び駐車時間に基づき駐車料金を算出しその算出した駐車料金を予約入力装置１に出力する。そして、予約入力装置１で予約した人が予約入力装置１に表示された駐車料金を人予約管理装置２を運営する人に支払う。この支払いを受け取った予約管理装置２を運営する人は受け取った駐車料金の一部を駐車場２１乃至２５を運営する人に支払う。
【００１６】
図２を参照し、予約管理装置２の駐車予約処理を説明する。予約枠設定手段１４で設定された駐車可能時間が予約管理装置２の記憶部に記憶された状態において、ステップ２０１で駐車状況情報が入力されたかを判断する。駐車状況情報が車両検出装置３乃至７の少なくとも１つから入力されなければ、ステップ２０１がＮＯとなり、ステップ２０１に戻る。駐車状況情報が車両検出装置３乃至７の少なくとも１つから入力されると、ステップ２０１がＹＥＳとなり、ステップ２０２に進む。
【００１７】
ステップ２０２では駐車状況情報に基づき満車空車情報を作成して予約入力装置１に出力し、ステップ２０３に進む。ステップ２０３では予約入力情報が入力されたかを判断する。予約入力情報が入力されなければ、ステップ２０３がＮＯとなり、ステップ２０３に戻る。予約入力情報が入力されると、ステップ２０３がＹＥＳとなり、ステップ２０４に進む。
【００１８】
ステップ２０４では入力された予約入力情報と前記作成した満車空車情報とに基づき設定された駐車可能時間と車両番号とを含む予約完了情報を作成しこの作成した予約完了情報を予約入力装置１と駐車場２１乃至２５の車両検出装置３乃至７のうちの該当する１つとに出力し、ステップ２０５に進む。ステップ２０５では該当車両が入庫したかを判断する。前記作成された予約情報中の車両番号と同じ車両番号が車両検出装置３乃至７の何れかから入力されなければ、該当車両が入庫していないことになり、ステップ２０５がＮＯとなり、ステップ２０５に戻る。前記作成された予約情報中の車両番号と同じ車両番号が車両検出装置３乃至７の何れかから入力されると、該当車両が入庫したことになり、ステップ２０５がＹＥＳとなり、ステップ２０６に進む。
【００１９】
ステップ２０６では該当車両が出庫したかを判断する。前記ステップ２０５で入力された車両番号が消去されなければ、該当車両が出庫していないことになり、ステップ２０６がＮＯとなり、ステップ２０６に戻る。前記ステップ２０５で入力された車両番号が消去されると、該当車両が出庫したことになり、ステップ２０６がＹＥＳとなり、ステップ２０７に進む。ステップ２０７では該当車両の入出庫情報に基づき駐車料金の請求を予約入力装置１に出力し、予約入力装置１により予約を行った人から駐車料金の支払いを受け取る。
【００２０】
図３を用いて発明を実施するための形態１に係る予約管理装置２の空車及び予約並びに仮予約の関係を説明する。図３に示した予約管理装置２では３時間を１つの予約枠として設定してある。１つの予約枠としての時間は３時間以外の時間単位又は分単位又は駐車利用の多少の時間帯で可変に設定しても良い。そして、図３のＡ図に示した９時から２１時まで予約が入っていない空車の場合において、図３のＢ図に示したように１２時から１５時までの枠に予約が入ると、図３のＣ図に示したように１２時から１５時までの枠を予約として設定しかつ１５時から１８時までの枠をバッファ時間として仮予約を設定するようにしても良い。
又、図３のＡ図に示した９時から２１時まで予約が入っていない空車の場合において、図３のＢ図に示したように１２時から１５時までの枠に予約が入ると、図３のＤ図に示したように、１２時から１５時までの枠を予約として設定しかつ９時から１２時までの枠をバッファ時間として仮予約を設定するようにしても良い。又、図３のＡ図に示した９時から２１時まで予約が入っていない空車の場合において、図３のＢ図に示したように１２時から１５時までの枠に予約が入ると、図３のＥ図に示したように、１２時から１５時までの枠を予約として設定しかつ９時から１２時までの枠と１５時から１８時までの枠とをバッファ時間として仮予約を設定するようにしても良い。つまり、図３のＣ図及びＤ図並びにＥ図に示したように予約と表示された駐車予定時間とその後又はその前又はその前後の何れかに仮予約と表示されたバッファ時間とからなる駐車可能時間が予約として確定するので、駐車場２１乃至２５のうちの何れかの１箇所を予約して使う場合に予約して駐車場２１乃至２５のうちの何れかの１箇所に到着したら別の車が駐車している状態を減少することができる。
【００２１】
図４を用いて発明を実施するための形態２に係る駐車場予約システムの構成を説明する。図４に示した駐車場予約システムは、予約入力装置１と予約管理装置２と１つの目的地エリア２０に設けられた駐車場２１乃至２５ごとに設置された車両検出装置３；４；５；６；７とがネットワーク８で互いに通信可能に接続され、駐車場２１乃至２５に車両の入庫および出庫を規制するゲートや駐車料金を精算する現金精算機等の付帯設備が設けられていない、簡単な構造になっている。予約管理装置２はサーバにより構成され、駐車状況作成手段１１と課金手段１３と記憶部１５と複数予約作成手段１６とアラート手段１７とを備える。駐車状況作成手段１１と課金手段１３と複数予約作成手段１６とアラート手段１７とは、サーバにコンピュータプログラムとして格納された予約ソフトウエア１０で具現化される。
【００２２】
図４に示した駐車場予約システムの作用を説明する。車両検出装置３乃至７が自分の設置された駐車場２１乃至２５の駐車状況情報を予約管理装置２に出力し、予約管理装置２の駐車状況作成手段１１が車両検出装置３乃至７から入力された駐車状況情報に基づき車両検出装置３乃至７の設置された駐車場２１乃至２５の満車空車情報を作成する。その後、駐車状況作成手段１１が前記作成した満車空車情報を予約入力装置１に出力する。
【００２３】
又、予約を行う人が予約入力装置１を操作して会員登録を行うと、予約入力装置１が会員登録情報を予約管理装置２に出力し、予約入力装置１と予約管理装置２とが会員登録に必要な情報のやり取りを行い、予約を行う人が予約管理装置２に会員として登録される。このように予約を行う人が予約管理装置２に会員として登録された状態において、予約を行う人が予約入力装置１を操作して駐車の予約を行う場合には、予約入力装置１と予約管理装置２との間で前記予約を行う人の会員登録に対する認証処理が行われる。そして、予約管理装置２が予約を行う人を正規に登録された会員と認証し予約入力装置１からの駐車場の予約を受け付けることが可能な状態になる。つまり、予約入力装置１と予約管理装置２との間で会員登録が完了したことを条件として駐車場の予約が可能になることにより、駐車場予約システムの運営が健全になる。
【００２４】
前記のような予約管理装置２が予約入力装置１からの駐車場の予約を受け付けることが可能になった状態において、予約を行う人が予約入力装置１に表示された満車空車情報を視認して予約入力装置１を操作すると、予約入力装置１が前記予約を行う人の操作に応じた目的地の位置情報及び駐車予定時間並びに車両番号等の予約要求情報を予約管理装置２に出力し、予約管理装置２が予約入力装置１から入力された予約要求情報を記憶部１５に記憶した後、予約管理装置２の複数予約作成手段１６が予約入力装置１から入力された目的地の位置情報から駐車予約対象地域としての目的地エリア２０を特定する。
【００２５】
その後、複数予約作成手段１６が前記特定された目的地エリア２０における駐車場２１乃至２５の満車空車情報に基づき空車となっている駐車スペースとしての複数個の車室に対して予約を成立させる。更に、複数予約作成手段１６が前記予約の成立した車室及び予約入力装置１から入力された車両番号に対し予約入力装置１から入力された前記駐車予定時間を記憶部１５から抽出して設定する。その後、複数予約作成手段１６が前記駐車予約時間及び前記予約の成立した複数個の車室等を示す予約完了情報を予約入力装置１と前記予約の成立した複数個の車室を有する駐車場２１又は２２又は２３又は２４又は２５に設置された車両検出装置３又は４又は５又は６又は７とに出力する。
【００２６】
つまり、複数予約作成手段１６が予約入力装置１から入力された目的地の位置情報や車両番号等の予約入力情報と駐車状況作成手段１１で作成された満車空車情報とに基づき空車の複数個の車室の予約完了情報を作成しこの作成した予約完了情報を予約入力装置１と該当する空車の複数個の車室の車両検出装置３乃至７とに出力する。前記予約の成立した複数個の車室が駐車場２１乃至２５に分散していても又は１箇所に集中していても良い。
【００２７】
これによって、複数予約作成手段１６が予約の成立した複数個の車室に対し予約入力装置１から入力された予約要求情報の駐車予定時間を割り当てた予約を確定する。つまり、予約をする際に予約を希望する1つの車室だけでなく条件にあった別の車室も一緒に複数予約対象にしてしまうので、予約して駐車場２１乃至２５に到着したときに駐車できない状況の発生を減少させることができる。
【００２８】
尚、複数個の車室を予約する過程において、予約管理装置１が予約入力装置１から予約要求情報を受信した際に目的地エリア２０に存在する駐車場２１乃至２５における空車としての複数個の車室を全て予約とし、それぞれの車室に対する予約が予約管理装置２に設定された一定数に到達すると、それ以上の予約を受け付けないようにしても良く、又は、それまで受けた一定数の予約を確定させるとともにそれ以上の予約を受け付けないようにしても良い。具体的には、複数予約作成手段１６が複数個の車室のそれぞれの車室に対する予約数を監視し、予約数が一定数に到達すると複数予約作成手段１６がそれまで受けた一定数の予約を確定させるとともにそれ以上の予約を受け付けることなく確定情報をアラート手段１７に出力する。このように複数予約作成手段１６がそれまで受けた一定数の予約を確定させることで、駐車場利用者側と駐車場提供者側との両者の損失を抑えることができる。又、アラート手段１７が複数予約作成手段１６から入力された確定情報に基づきアラート情報を予約入力装置１に出力し、このアラート手段１７から入力されたアラート情報に基づき予約入力装置１及び予約管理装置１が一定数を超えた予約を受け付けないことで、予約して駐車場２１乃至２５に到着したときに駐車できない状況の発生を減少させることができる。
【００２９】
図５を参照し、予約管理装置２の駐車予約処理を説明する。ステップ５０１で駐車状況情報が入力されたかを判断する。駐車状況情報が車両検出装置３乃至７の少なくとも１つから入力されなければ、ステップ５０１がＮＯとなり、ステップ５０１に戻る。駐車状況情報が車両検出装置３乃至７の少なくとも１つから入力されると、ステップ５０１がＹＥＳとなり、ステップ５０２に進む。
【００３０】
ステップ５０２では駐車状況情報に基づき満車空車情報を作成して予約入力装置１に出力し、ステップ５０３に進む。ステップ５０３では予約入力情報が入力されたかを判断する。予約入力情報が入力されなければ、ステップ５０３がＮＯとなり、ステップ５０３に戻る。予約入力情報が入力されると、ステップ５０３がＹＥＳとなり、ステップ５０４に進む。
【００３１】
ステップ５０４では入力された予約入力情報と前記作成した満車空車情報とに基づき複数個の車室に対する駐車予約時間と車両番号とを含む予約完了情報を作成しこの作成した予約完了情報を予約入力装置１と該当する駐車場２１乃至２５の車両検出装置３乃至７とに出力し、ステップ５０５に進む。ステップ５０５では該当車両が入庫したかを判断する。前記作成された予約情報中の車両番号と同じ車両番号が車両検出装置３乃至７の何れかから入力されなければ、該当車両が入庫していないことになり、ステップ５０５がＮＯとなり、ステップ５０５に戻る。前記作成された予約情報中の車両番号と同じ車両番号が車両検出装置３乃至７の何れかから入力されると、該当車両が入庫したことになり、ステップ５０５がＹＥＳとなり、ステップ５０６に進む。
【００３２】
ステップ５０６では該当車両が出庫したかを判断する。前記ステップ５０５で入力された車両番号が消去されなければ、該当車両が出庫していないことになり、ステップ５０６がＮＯとなり、ステップ５０６に戻る。前記ステップ５０５で入力された車両番号が消去されると、該当車両が出庫したことになり、ステップ５０６がＹＥＳとなり、ステップ５０７に進む。ステップ５０７では該当車両の入出庫情報に基づき駐車料金の請求を予約入力装置１に出力し、予約入力装置１により予約を行った人から駐車料金の支払いを受け取る。
【００３３】
図６を用いて発明を実施するための形態３に係る駐車場予約システムの構成を説明する。図６に示した駐車場予約システムは、予約入力装置１と予約管理装置２と１つの目的地エリア２０に設けられた駐車場２１乃至２５ごとに設置された車両検出装置３；４；５；６；７とがネットワーク８で互いに通信可能に接続され、駐車場２１乃至２５に車両の入庫および出庫を規制するゲートや駐車料金を精算する現金精算機等の付帯設備が設けられていない、簡単な構造になっている。予約管理装置２はサーバにより構成され、駐車状況作成手段１１と課金手段１３と記憶部１５とアラート手段１７と本予約作成手段１８と仮予約作成手段１９とを備える。駐車状況作成手段１１と課金手段１３とアラート手段１７と本予約作成手段１８と仮予約作成手段１９とは、サーバにコンピュータプログラムとして格納された予約ソフトウエア１０で具現化される。
【００３４】
図６に示した駐車場予約システムの作用を説明する。車両検出装置３乃至７が自分の設置された駐車場２１乃至２５の駐車状況情報を予約管理装置２に出力し、予約管理装置２の駐車状況作成手段１１が車両検出装置３乃至７から入力された駐車状況情報に基づき車両検出装置３乃至７の設置された駐車場２１乃至２５の満車空車情報を作成する。その後、駐車状況作成手段１１が前記作成した満車空車情報を予約入力装置１に出力する。
【００３５】
又、予約を行う人が予約入力装置１を操作して会員登録を行うと、予約入力装置１が会員登録情報を予約管理装置２に出力し、予約入力装置１と予約管理装置２とが会員登録に必要な情報のやり取りを行い、予約を行う人が予約管理装置２に会員として登録される。このように予約を行う人が予約管理装置２に会員として登録された状態において、予約を行う人が予約入力装置１を操作して駐車の予約を行う場合には、予約入力装置１と予約管理装置２との間で前記予約を行う人の会員登録に対する認証処理が行われる。そして、予約管理装置２が予約を行う人を正規に登録された会員と認証し予約入力装置１からの駐車場の予約を受け付けることが可能な状態になる。つまり、予約入力装置１と予約管理装置２との間で会員登録が完了したことを条件として駐車場の予約が可能になることにより、駐車場予約システムの運営が健全になる。
【００３６】
前記のような予約管理装置２が予約入力装置１からの駐車場の予約を受け付けることが可能になった状態において、そして、予約を行う人が予約入力装置１に表示された満車空車情報を視認して予約入力装置１を操作すると、予約入力装置１が前記予約を行う人の操作に応じた目的地の位置情報及び駐車予定時間並びに車両番号等の予約要求情報を予約管理装置２に出力し、予約管理装置２が予約入力装置１から入力された予約要求情報を記憶部１５に記憶した後、予約管理装置２の本予約作成手段１８が予約入力装置１から入力された目的地の位置情報から駐車予約対象地域としての目的地エリア２０を特定する。
【００３７】
その後、本予約作成手段１８が前記特定された目的地エリア２０における駐車場２１乃至２５の満車空車情報に基づき空車となっている駐車スペースとしての複数個の車室に対して予約を成立させる。更に、本予約作成手段１８が前記予約の成立した車室及び予約入力装置１から入力された車両番号に対し予約入力装置１から入力された前記駐車予定時間を記憶部１５から抽出して設定する。
【００３８】
次に、本予約作成手段１８が前記駐車予約時間及び前記予約の成立した１つの車室等を示す予約完了情報を予約入力装置１と前記予約の成立した車室を有する駐車場２１又は２２又は２３又は２４又は２５に設置された車両検出装置３又は４又は５又は６又は７とに出力する。つまり、本予約作成手段１８が目的地エリア２０における駐車場２１の空車になった１つの車室を本予約する。又、仮予約作成手段１９が前記本予約の成立した車室及び予約入力装置１から入力された車両番号に対し予約入力装置１から入力された前記駐車予定時間を記憶部１５から抽出して設定する。つまり、駐車場２１の空車になった１つの車室が本予約されると、仮予約作成手段１９が事前に指定された若しくは駐車場２１の空車となっている１つの車室の条件に類似する駐車場２２乃至２５の空室となっている車室を仮予約する。
【００３９】
その後、仮予約作成手段１９が前記駐車予約時間及び前記本予約の成立した以外の空車の１つ又は複数個の車室等を示す仮予約完了情報を予約入力装置１と前記予約の成立した空車の１つの車室を有する駐車場以外の駐車場２１又は２２又は２３又は２４又は２５に設置された車両検出装置３又は４又は５又は６又は７とに出力する。
【００４０】
これによって、本予約作成手段１８が本予約の成立した空車の１つの車室及び予約入力装置１から入力された車両番号に対し予約入力装置１から入力された予約要求情報の駐車予定時間を本予約として確定し、仮予約作成手段１９が仮予約の成立した１つ又は複数個の車室及び予約入力装置１から入力された車両番号に対し予約入力装置１から入力された予約要求情報の駐車予定時間を仮予約として確定する。つまり、予約をする際に本予約を希望する空車となっている１つの車室だけでなく条件にあった別の空車となっている車室も一緒に仮予約の対象にしてしまうので、駐車場２１乃至２５の何れかを本予約して使う場合に本予約して駐車場２１乃至２５の何れかに到着したら別の車が駐車している状態を減少することができる。
【００４１】
尚、予約入力装置１を操作する人が予約入力装置１を操作する時に事前指定として例えば駐車場２１における１つの車室を本予約として予約する場合に駐車場２１における１つの車室を使用できない場合の予備として駐車場２２乃至２５における１つ又は複数個の車室も仮予約する場合において、仮予約中の駐車場２２乃至２５に本予約が予約管理装置２に設定された一定数に到達すると、それ以上の仮予約を受け付けないようにしても良く、又は、それまで受けた一定数の仮予約を予約として確定させるとともにそれ以上の仮予約を受け付けないようにしても良い。具体的には、仮予約作成手段１９が複数個の車室のそれぞれの車室に対する予約数を監視し、予約数が一定数に到達すると仮予約作成手段１９がそれまで受けた一定数の仮予約を予約として確定させるとともにそれ以上の仮予約を受け付けることなく確定情報をアラート手段１７に出力する。このように仮予約作成手段１９がそれまで受けた一定数の仮予約を予約として確定させることで、駐車場利用者側と駐車場提供者側との両者の損失を抑えることができる。又、アラート手段１７が仮予約作成手段１９から入力された確定情報に基づきアラート情報を予約入力装置１に出力し、このアラート手段１７から入力されたアラート情報に基づき予約入力装置１及び予約管理装置１が一定数を超えた仮予約を受け付けないことで、予約して駐車場２１乃至２５に到着したときに駐車できない状況の発生を減少させることができる。
【００４２】
図７及び８を参照し、予約管理装置２の駐車予約処理を説明する。ステップ７０１で駐車状況情報が入力されたかを判断する。駐車状況情報が車両検出装置３乃至７の少なくとも１つから入力されなければ、ステップ７０１がＮＯとなり、ステップ７０１に戻る。駐車状況情報が車両検出装置３乃至７の少なくとも１つから入力されると、ステップ７０１がＹＥＳとなり、ステップ７０２に進む。
【００４３】
ステップ７０２では駐車状況情報に基づき満車空車情報を作成して予約入力装置１に出力し、ステップ７０３に進む。ステップ７０３では本予約入力情報が入力されたかを判断する。本予約入力情報が入力されなければ、ステップ７０３がＮＯとなり、ステップ７０３に戻る。本予約入力情報が入力されると、ステップ７０３がＹＥＳとなり、ステップ７０４に進む。
【００４４】
ステップ７０４では入力された本予約入力情報と前記作成した満車空車情報とに基づき１つの車室に対する駐車予約時間と車両番号とを含む本予約完了情報を作成しこの作成した本予約完了情報を予約入力装置１と駐車場２１乃至２５の車両検出装置３乃至７のうちの該当する複数個とに出力し、ステップ７０５に進む。ステップ７０５では本予約の成立した以外で本予約の成立した車室の条件に類似した空車の１つ又は複数個の車室等を示す仮予約完了情報を予約入力装置１と前記予約の成立した１つの車室を有する駐車場以外の駐車場２１又は２２又は２３又は２４又は２５の車両検出装置３又は４又は５又は６又は７とに出力し、ステップ７０６に進む。
【００４５】
ステップ７０６では、仮予約された空車の車室への本予約数が一定数に到達したかを判断する。仮予約された車室への本予約数が一定数に到達していなければ、ステップ７０６がＮＯとなり、ステップ７０８に進む。仮予約された空車の車室への本予約数が一定数に到達したならば、ステップ７０６がＹＥＳとなり、ステップ７０７に進む。ステップ７０７ではアラート情報を予約入力装置１に出力し、ステップ７０８に進む。
【００４６】
ステップ７０８では該当車両が入庫したかを判断する。前記作成された予約情報中の車両番号と同じ車両番号が車両検出装置３乃至７の何れかから入力されなければ、該当車両が入庫していないことになり、ステップ７０８がＮＯとなり、ステップ７０８に戻る。前記作成された予約情報中の車両番号と同じ車両番号が車両検出装置３乃至７の何れかから入力されると、該当車両が入庫したことになり、ステップ７０８がＹＥＳとなり、ステップ７０９に進む。
【００４７】
ステップ７０９では該当車両が出庫したかを判断する。前記ステップ７０８で入力された車両番号が消去されなければ、該当車両が出庫していないことになり、ステップ７０９がＮＯとなり、ステップ７０９に戻る。前記ステップ７０８で入力された車両番号が消去されると、該当車両が出庫したことになり、ステップ７０９がＹＥＳとなり、ステップ７１０に進む。ステップ７１０では該当車両の入出庫情報に基づき駐車料金の請求を予約入力装置１に出力し、予約入力装置１により予約を行った人から駐車料金の支払いを受け取る。
【００４８】
図９を用いて発明を実施するための形態４に係る駐車場予約システムの構成を説明する。図９に示した駐車場予約システムは、予約入力装置１と予約管理装置２と１つの目的地エリア２０に設けられた駐車場２１乃至２５ごとに設置された車両検出装置３；４；５；６；７とがネットワーク８で互いに通信可能に接続され、駐車場２１乃至２５に車両の入庫および出庫を規制するゲートや駐車料金を精算する現金精算機等の付帯設備が設けられていない、簡単な構造になっている。予約管理装置２はサーバにより構成され、駐車状況作成手段１１と課金手段１３と記憶部１５とアラート手段１７と仮予約作成手段１９とを備える。駐車状況作成手段１１と課金手段１３とアラート手段１７と仮予約作成手段１９とは、サーバにコンピュータプログラムとして格納された予約ソフトウエア１０で具現化される。
【００４９】
図９に示した駐車場予約システムの作用を説明する。車両検出装置３乃至７が自分の設置された駐車場２１乃至２５の駐車状況情報を予約管理装置２に出力し、予約管理装置２の駐車状況作成手段１１が車両検出装置３乃至７から入力された駐車状況情報に基づき車両検出装置３乃至７の設置された駐車場２１乃至２５の満車空車情報を作成する。その後、駐車状況作成手段１１が前記作成した満車空車情報を予約入力装置１に出力する。
【００５０】
又、予約を行う人が予約入力装置１を操作して会員登録を行うと、予約入力装置１が会員登録情報を予約管理装置２に出力し、予約入力装置１と予約管理装置２とが会員登録に必要な情報のやり取りを行い、予約を行う人が予約管理装置２に会員として登録される。このように予約を行う人が予約管理装置２に会員として登録された状態において、予約を行う人が予約入力装置１を操作して駐車の予約を行う場合には、予約入力装置１と予約管理装置２との間で前記予約を行う人の会員登録に対する認証処理が行われる。そして、予約管理装置２が予約を行う人を正規に登録された会員と認証し予約入力装置１からの駐車場の予約を受け付けることが可能な状態になる。つまり、予約入力装置１と予約管理装置２との間で会員登録が完了したことを条件として駐車場の予約が可能になることにより、駐車場予約システムの運営が健全になる。
【００５１】
前記のような予約管理装置２が予約入力装置１からの駐車場の予約を受け付けることが可能になった状態において、予約を行う人が予約入力装置１に表示された満車空車情報を視認して予約入力装置１を操作すると、予約入力装置１が前記予約を行う人の操作に応じた目的地の位置情報及び駐車予定時間並びに車両番号等の予約要求情報を予約管理装置２に出力し、予約管理装置２が予約入力装置１から入力された予約要求情報を記憶部１５に記憶した後、仮予約作成手段１９が予約入力装置１から入力された目的地の位置情報から駐車予約対象地域としての目的地エリア２０を特定する。
【００５２】
その後、仮予約作成手段１９が前記特定された目的地エリア２０における駐車場２１乃至２５の満車空車情報に基づき空車となっている車室の全てに対して仮予約を成立させる。更に、仮予約作成手段１９が前記予約の成立した車室及び予約入力装置１から入力された車両番号に対し予約入力装置１から入力された前記駐車予定時間を記憶部１５から抽出して設定する。その後、仮予約作成手段１９が前記駐車予約時間及び前記予約の成立した空車となっている車室等を示す予約完了情報を予約入力装置１と前記予約の成立した空車となっている車室を有する駐車場２１又は２２又は２３又は２４又は２５に設置された車両検出装置３又は４又は５又は６又は７とに出力する。
【００５３】
これによって、仮予約作成手段１９が仮予約の成立した空車の車室の全て及び予約入力装置１から入力された車両番号に対し予約入力装置１から入力された予約要求情報の駐車予定時間を仮予約として確定する。つまり、予約をする際に条件にあった空車の車室の全てを仮予約の対象にしてしまうので、駐車場２１乃至２５の何れかを仮予約して使う場合に仮予約して駐車場２１乃至２５の何れかに到着したら別の車が駐車している状態を減少することができる。仮予約作成手段１９による予約可能な空車となっている車室の個数に上限値を設け、それ以上の仮予約を受けないようにしても良い。
【００５４】
尚、予約入力装置１を操作する人が予約入力装置１を操作する時に駐車場２１における空車の車室の全てを仮予約として予約する場合において、仮予約中の駐車場２２乃至２５に本予約が予約管理装置２に設定された一定数に到達すると、それ以上の仮予約を受け付けないようにしても良く、又は、それまで受けた一定数の仮予約を予約として確定させるとともにそれ以上の仮予約を受け付けないようにしても良い。具体的には、仮予約作成手段１９が複数個の車室のそれぞれの車室に対する予約数を監視し、予約数が一定数に到達すると仮予約作成手段１９がそれまで受けた一定数の仮予約を予約として確定させるとともにそれ以上の仮予約を受け付けることなく確定情報をアラート手段１７に出力する。このように仮予約作成手段１９がそれまで受けた一定数の仮予約を予約として確定させることで、駐車場利用者側と駐車場提供者側との両者の損失を抑えることができる。又、アラート手段１７が仮予約作成手段１９から入力された確定情報に基づきアラート情報を予約入力装置１に出力し、このアラート手段１７から入力されたアラート情報に基づき予約入力装置１及び予約管理装置１が一定数を超えた仮予約を受け付けないことで、予約して駐車場２１乃至２５に到着したときに駐車できない状況の発生を減少させることができる。
【００５５】
図１０及び８を参照し、予約管理装置２の駐車予約処理を説明する。ステップ１００１で駐車状況情報が入力されたかを判断する。駐車状況情報が車両検出装置３乃至７の少なくとも１つから入力されなければ、ステップ１００１がＮＯとなり、ステップ１００１に戻る。駐車状況情報が車両検出装置３乃至７の少なくとも１つから入力されると、ステップ１００１がＹＥＳとなり、ステップ１００２に進む。
【００５６】
ステップ１００２では駐車状況情報に基づき満車空車情報を作成して予約入力装置１に出力し、ステップ１００３に進む。ステップ１００３では本予約入力情報が入力されたかを判断する。本予約入力情報が入力されなければ、ステップ１００３がＮＯとなり、ステップ１００３に戻る。本予約入力情報が入力されると、ステップ１００３がＹＥＳとなり、ステップ１００４に進む。
【００５７】
ステップ１００４では入力された仮予約入力情報と前記作成した満車空車情報とに基づき空車の車室の全てに対する駐車予約時間と車両番号とを含む仮予約完了情報を作成しこの作成した仮予約完了情報を予約入力装置１と該当する複数個の駐車場２１乃至２５の車両検出装置３乃至７とに出力し、ステップ１００５に進む。ステップ１００５では、仮予約された空車の車室への本予約数が一定数に到達したかを判断する。仮予約された車室への本予約数が一定数に到達していなければ、ステップ１００５がＮＯとなり、図８のステップ７０８に進む。仮予約された空車の車室への本予約数が一定数に到達したならば、ステップ１００５がＹＥＳとなり、ステップ１００６に進む。スッテプ１００６ではアラート情報を予約入力装置１に出力し、図８のステップ７０８に進む。
【００５８】
図８のステップ７０８では該当車両が入庫したかを判断する。前記作成された予約情報中の車両番号と同じ車両番号が車両検出装置３乃至７の何れかから入力されなければ、該当車両が入庫していないことになり、ステップ７０８がＮＯとなり、ステップ７０８に戻る。前記作成された予約情報中の車両番号と同じ車両番号が車両検出装置３乃至７の何れかから入力されると、該当車両が入庫したことになり、ステップ７０８がＹＥＳとなり、図８のステップ７０９に進む。
【００５９】
ステップ７０９では該当車両が出庫したかを判断する。前記ステップ７０８で入力された車両番号が消去されなければ、該当車両が出庫していないことになり、ステップ７０９がＮＯとなり、ステップ７０９に戻る。前記ステップ７０８で入力された車両番号が消去されると、該当車両が出庫したことになり、ステップ７０９がＹＥＳとなり、ステップ７１０に進む。ステップ７１０では該当車両の入出庫情報に基づき駐車料金の請求を予約入力装置１に出力し、予約入力装置１により予約を行った人から駐車料金の支払いを受け取る。
【００６０】
図１１を用いて発明を実施するための形態５に係る駐車場予約システムの構成を説明する。図１１に示した駐車場予約システムは、予約入力装置１と予約管理装置２と１つの目的地エリア２０に設けられた駐車場２１乃至２３ごとに設置された車両検出装置３；４；５と別のエリア３４に設けられた駐車場３５及び３６ごとに設置された車両検出装置８及び９とがネットワーク８で互いに通信可能に接続され、駐車場２１乃至２５に車両の入庫および出庫を規制するゲートや駐車料金を精算する現金精算機等の付帯設備が設けられていない、簡単な構造になっている。予約管理装置２はサーバにより構成され、駐車状況作成手段１１と課金手段１３と記憶部１５と予約作成手段３１と予約変更手段３２とを備える。駐車状況作成手段１１と課金手段１３と記憶部１５と予約作成手段３１と予約変更手段３２とは、サーバにコンピュータプログラムとして格納された予約ソフトウエア１０で具現化される。
【００６１】
図１１に示した駐車場予約システムの作用を説明する。車両検出装置３乃至５と８及び９が自分の設置された駐車場２１乃至２３と３５及び３６の駐車状況情報を予約管理装置２に出力し、予約管理装置２の駐車状況作成手段１１が車両検出装置３乃至５と８及び９から入力された駐車状況情報に基づき車両検出装置３乃至５と８及び９の設置された駐車場２１乃至２３と３５及び３６の満車空車情報を作成する。その後、駐車状況作成手段１１が前記作成した満車空車情報を予約入力装置１に出力する。
【００６２】
又、予約を行う人が予約入力装置１を操作して会員登録を行うと、予約入力装置１が会員登録情報を予約管理装置２に出力し、予約入力装置１と予約管理装置２とが会員登録に必要な情報のやり取りを行い、予約を行う人が予約管理装置２に会員として登録される。このように予約を行う人が予約管理装置２に会員として登録された状態において、予約を行う人が予約入力装置１を操作して駐車の予約を行う場合には、予約入力装置１と予約管理装置２との間で前記予約を行う人の会員登録に対する認証処理が行われる。そして、予約管理装置２が予約を行う人を正規に登録された会員と認証し予約入力装置１からの駐車場の予約を受け付けることが可能な状態になる。つまり、予約入力装置１と予約管理装置２との間で会員登録が完了したことを条件として駐車場の予約が可能になることにより、駐車場予約システムの運営が健全になる。
【００６３】
前記のような予約管理装置２が予約入力装置１からの駐車場の予約を受け付けることが可能になった状態において、そして、予約を行う人が予約入力装置１に表示された満車空車情報を視認して予約入力装置１を操作し、予約入力装置１が前記予約を行う人の操作に応じた目的地の位置情報及び駐車予定時間並びに車両番号等の予約要求情報を予約管理装置２に出力し、予約管理装置２が予約入力装置１から入力された予約要求情報を記憶部１５に記憶した後、予約作成手段３１が予約入力装置１から入力された目的地の位置情報から駐車予約対象地域としての目的地エリア２０を特定する。
【００６４】
その後、予約作成手段３１が前記特定された目的地エリア２０における駐車場２１乃至２３の満車空車情報に基づき空車となっている駐車スペースとしての１つ又は複数個の車室に対して予約を成立させる。更に、予約作成手段３１が前記予約の成立した車室及び予約入力装置１から入力された車両番号に対し予約入力装置１から入力された前記駐車予定時間を記憶部１５から抽出して設定する。その後、予約作成手段３１が前記駐車予約時間及び前記予約の成立した空車の１つ又は複数個の車室等を示す予約完了情報を予約入力装置１と前記予約の成立した空車の１つ又は複数個の車室を有する駐車場２１又は２２又は２３に設置された車両検出装置３又は４又は５とに出力する。前記予約の成立した複数個の車室が駐車場２１乃至２３に分散していても又は１箇所に集中していても良い。
【００６５】
これによって、予約作成手段３１が予約の成立した空車の１つ又は複数個の車室及び予約入力装置１から入力された車両番号に対し予約入力装置１から入力された予約要求情報の駐車予定時間を予約として確定する。つまり、予約をする際に予約を希望する1つの車室だけでなく条件にあった別の車室も一緒に複数予約対象にしてしまうので、駐車場２１乃至２３の何れかを予約して使う場合に予約して駐車場２１乃至２３の何れかに到着したら別の車が駐車している状態を減少することができる。
【００６６】
又、予約作成手段３１による予約が予約管理装置２に成立した後において、予約を行う人が予約入力装置１を操作して予約の変更を入力装置１に入力すると、入力装置１が予約変更情報を予約管理装置２に出力し、予約管理装置２が予約入力装置１から入力された予約変更情報を記憶部１５に記憶した後、予約変更手段３２が予約入力装置１から入力された予約変更情報に含まれる変更後の目的地の位置情報から駐車予約対象地域としての別のエリア３４を特定する。
【００６７】
その後、予約変更手段３２が前記特定された別のエリア３４における駐車場３５及び３６の満車空車情報に基づき空車となっている１つ又は複数個の車室に対して予約を成立させる。更に、予約変更手段３２が前記予約の成立した車室及び予約入力装置１から入力された予約変更情報に含まれる変更後の車両番号に対し予約入力装置１から入力された前記駐車予定時間を記憶部１５から抽出して設定する。その後、予約変更手段３２が予約変更情報に含まれる変更後の駐車予約時間及び前記予約の成立した空車の１つ又は複数個の車室等を示す予約完了情報を予約入力装置１と前記予約の成立した空車の１つ又は複数個の車室を有する駐車場３５又は３６に設置された車両検出装置８又は９とに出力する。前記予約の成立した変更後の複数個の車室が駐車場３５又は３６に分散していても又は１箇所に集中していても良い。
【００６８】
これによって、予約変更手段３２が予約の成立した変更後の空車の１つ又は複数個の車室及び予約入力装置１から入力された変更後の車両番号に対し予約入力装置１から入力された予約変更情報の駐車予定時間を予約として確定する。つまり、予約を変更する際に予約の変更を希望する1つの車室だけでなく条件にあった別の車室も一緒に複数予約対象にすれば、予約の変更によって駐車場３５又は３６の何れかを予約して使う場合に予約して駐車場３５又は３６の何れかに到着したら別の車が駐車している状態を減少することができる。
【００６９】
図１１に示した駐車場予約システムにおいて、予約作成手段３１が例えば電車又はバス等の公共交通機関の路線の或る１つの駅の周辺を目的地エリア２０として特定し、この特定された目的地エリア２０における空車となっている車室に駐車予約が成立した後において、駐車場の周辺情報としての属性を基に車室を選定することで、予約を行う人が前記路線の別の駅の周辺の車室の駐車予約を変更した方が好都合となることがある。
【００７０】
図１２を参照し、予約管理装置２の駐車予約処理を説明する。ステップ１２０１で駐車状況情報が入力されたかを判断する。駐車状況情報が車両検出装置３乃至５と８及び９の少なくとも１つから入力されなければ、ステップ１２０１がＮＯとなり、ステップ１２０１に戻る。駐車状況情報が車両検出装置３乃至５と８及び９の少なくとも１つから入力されると、ステップ１２０１がＹＥＳとなり、ステップ１２０２に進む。
【００７１】
ステップ１２０２では駐車状況情報に基づき満車空車情報を作成して予約入力装置１に出力し、ステップ１２０３に進む。ステップ１２０３では予約入力情報が入力されたかを判断する。予約入力情報が入力されなければ、ステップ１２０３がＮＯとなり、ステップ１２０３に戻る。予約入力情報が入力されると、ステップ１２０３がＹＥＳとなり、ステップ１２０４に進む。
【００７２】
ステップ１２０４では予約変更情報が入力されたかを判断する。予約変更情報が入力されなければ、ステップ１２０３がＮＯとなり、図８のステップ７０８に進む。予約変更情報が入力されれば、ステップ１２０３がＹＥＳとなり、図１０のステップ１２０５に進む。ステップ１２０では変更後の別のエリア３４の空車となっている車室を予約し、図８のステップ７０８に進む。
【００７３】
図８のステップ７０８では該当車両が入庫したかを判断する。前記作成された予約情報中の車両番号と同じ車両番号が車両検出装置３乃至７の何れかから入力されなければ、該当車両が入庫していないことになり、ステップ７０８がＮＯとなり、ステップ７０８に戻る。前記作成された予約情報中の車両番号と同じ車両番号が車両検出装置３乃至７の何れかから入力されると、該当車両が入庫したことになり、ステップ７０８がＹＥＳとなり、図８のステップ７０９に進む。
【００７４】
ステップ７０９では該当車両が出庫したかを判断する。前記ステップ７０８で入力された車両番号が消去されなければ、該当車両が出庫していないことになり、ステップ７０９がＮＯとなり、ステップ７０９に戻る。前記ステップ７０８で入力された車両番号が消去されると、該当車両が出庫したことになり、ステップ７０９がＹＥＳとなり、ステップ７１０に進む。ステップ７１０では該当車両の入出庫情報に基づき駐車料金の請求を予約入力装置１に出力し、予約入力装置１により予約を実行した人から駐車料金の支払いを受け取る。
【符号の説明】
【００７５】
１    予約入力装置
２    予約管理装置
３    車両検出装置
４    車両検出装置
５    車両検出装置
６    車両検出装置
７    車両検出装置
８    ネットワーク
１０  予約ソフトウエア
１１  駐車状況作成手段
１２  単数予約作成手段
１３  課金手段
１４  予約枠設定手段
１５  記憶部
１６  複数予約作成手段
１７  アラート手段
１８  本予約作成手段
１９  仮予約作成手段
２０  目的地エリア
２１  駐車場
２２  駐車場
２３  駐車場
２４  駐車場
２５  駐車場
３１  約作成手段
３２  予約変更手段
３４  別のエリア
３５  駐車場
３６  駐車場
【図１】
2019159731.tif 000003
【図２】
2019159731.tif 000004
【図３】
2019159731.tif 000005
【図４】
2019159731.tif 000006
【図５】
2019159731.tif 000007
【図６】
2019159731.tif 000008
【図７】
2019159731.tif 000009
【図８】
2019159731.tif 000010
【図９】
2019159731.tif 000011
【図１０】
2019159731.tif 000012
【図１１】
2019159731.tif 000013
【図１２】
2019159731.tif 000014
【図１３】
2019159731.tif 000015